(57)【要約】【課題】記録材の非画像領域に皺が発生することを防止する。【解決手段】記録材Ｐにインクを吐出し画像形成するインクジェット記録装置１は、記録材Ｐの非画像領域に皺が発生するか否かを判定する判定部７２と、皺に対する処理を行う出力処理部７３、皺防止処理部７４、および、ヘッド位置調整部７７と、を備える。判定部７２は、画像データおよび環境の少なくとも何れかに基づいて皺が発生するか否かを判定する。記録材Ｐの印画領域のインク付着量が閾値を超えて前記皺が発生すると判定部７２が判定した場合、皺防止処理部７４は、非画像領域に印画する。【選択図】図１
2020183072.tif 000002
【特許請求の範囲】
【請求項１】
記録材にインクを吐出し画像形成するインクジェット記録装置であって、
前記記録材の非画像領域に皺が発生するか否かを判定する判定部と、
前記皺が発生すると前記判定部が判定した場合、前記非画像領域に印画する皺防止処理部と、を備える、
ことを特徴とするインクジェット記録装置。
【請求項２】
前記判定部は、画像データおよび環境の少なくとも何れかに基づいて前記皺が発生するか否かを判定する、
ことを特徴とする請求項１に記載のインクジェット記録装置。
【請求項３】
前記記録材の印画領域のインク付着量が閾値を超えて前記皺が発生すると前記判定部が判定した場合、前記皺防止処理部は、前記非画像領域に印画する、
ことを特徴とする請求項１または請求項２に記載のインクジェット記録装置。
【請求項４】
前記皺防止処理部は、前記非画像領域のうち余白領域に、インクジェットヘッドの状態を確認するためのチェックチャートを印画する、
ことを特徴とする請求項３に記載のインクジェット記録装置。
【請求項５】
前記皺防止処理部は、前記非画像領域のうち余白領域に、使用頻度の低いインクで印画する、
ことを特徴とする請求項３に記載のインクジェット記録装置。
【請求項６】
前記記録材の印画領域のインク付着量が閾値を超えて前記皺が発生すると前記判定部が判定した場合、前記皺の発生の可能性を通知する出力処理部、をさらに備える、
ことを特徴とする請求項１から請求項５の何れか１項に記載のインクジェット記録装置。
【請求項７】
前記記録材の印画領域のインク付着量が閾値を超えて前記皺が発生すると前記判定部が判定した場合、前記皺防止処理部は、画像形成を中断する、
ことを特徴とする請求項１から請求項５の何れか１項に記載のインクジェット記録装置。
【請求項８】
前記記録材の印画領域のインク付着量が閾値を超えて前記皺が発生すると前記判定部が判定した場合、前記皺防止処理部は、当該閾値を下回るように前記インク付着量を低減させる、
ことを特徴とする請求項１から請求項５の何れか１項に記載のインクジェット記録装置。
【請求項９】
前記記録材の印画領域のインク付着量が閾値を超えて前記皺が発生すると前記判定部が判定した場合、インクジェットヘッドのギャップを前記皺の高さ以上に拡げるヘッド位置調整部、をさらに備える、
ことを特徴とする請求項１から請求項５の何れか１項に記載のインクジェット記録装置。
【請求項１０】
前記皺防止処理部は、前記記録材の厚さに基づいて前記閾値を変更する、
ことを特徴とする請求項３から請求項９の何れか１項に記載のインクジェット記録装置。
【請求項１１】
両面印刷のときに、前記皺防止処理部による前記非画像領域への印画行う、
ことを特徴とする請求項１から請求項１０の何れか１項に記載のインクジェット記録装置。
【請求項１２】
前記インクは、紫外線照射で硬化するインクである、
ことを特徴とする請求項１から請求項１１の何れか１項に記載のインクジェット記録装置。
【請求項１３】
前記インクは、白色、透明、または、前記記録材と同色である、
ことを特徴とする請求項１から請求項１２の何れか１項に記載のインクジェット記録装置。
【請求項１４】
記録材にインクを吐出し画像形成するインクジェット記録装置における皺処理方法であって、
前記インクジェット記録装置は、
前記記録材の非画像領域に皺が発生するか否かを判定するステップと、
前記皺が発生すると判定した場合、前記非画像領域に印画するステップと、を実行する、
ことを特徴とする皺処理方法。
【発明の詳細な説明】
【技術分野】
【０００１】
本発明は、インクジェット記録装置および皺処理方法に関する。
【背景技術】
【０００２】
特許文献１には、印字時にヘッド擦れが発生しないようにするための発明として、「インクを吐出するヘッドを用い、記録材料上に画像を形成するインクジェット記録方法において、前記記録材料が原紙の両面をポリオレフィン樹脂で被覆された支持体上に無機微粒子及び親水性バインダーからなる少なくとも１層のインク受容層を有するインクジェット記録材料であって、前記記録材料上における画像空白部分にカールを矯正するための補助液を吐出する事を特徴とするインクジェット記録方法」が開示されている。
【先行技術文献】
【特許文献】
【０００３】
【特許文献１】特開２００４−２４３６０２号公報（請求項１）
【発明の概要】
【発明が解決しようとする課題】
【０００４】
インクジェット記録装置が記録材に画像形成した後に紫外線照射などによってインクを硬くすると、画像形成した記録材に皺が発生する場合があり、画像品質劣化を招く。特に、所定の皺発生条件を満たすことで記録材の余白領域に皺が発生することがわかってきた。特許文献１には、皺の発生については、記載も示唆も無い。
【０００５】
上記事情に鑑みて、本発明では、記録材の非画像領域に皺が発生することを防止することを目的とする。
【課題を解決するための手段】
【０００６】
本発明の上記の目的は、下記の手段によって達成される。
【０００７】
（１）：記録材にインクを吐出し画像形成するインクジェット記録装置であって、前記記録材の非画像領域に皺が発生するか否かを判定する判定部と、前記皺が発生すると前記判定部が判定した場合、前記非画像領域に印画する皺防止処理部と、を備える、ことを特徴とするインクジェット記録装置。
【０００８】
（２）：前記判定部は、画像データおよび環境の少なくとも何れかに基づいて前記皺が発生するか否かを判定する、ことを特徴とする（１）に記載のインクジェット記録装置。
【０００９】
（３）：前記記録材の印画領域のインク付着量が閾値を超えて前記皺が発生すると前記判定部が判定した場合、前記皺防止処理部は、前記非画像領域に印画する、ことを特徴とする（１）または（２）に記載のインクジェット記録装置。
【００１０】
（４）：前記皺防止処理部は、前記非画像領域のうち余白領域に、インクジェットヘッドの状態を確認するためのチェックチャートを印画する、ことを特徴とする（３）に記載のインクジェット記録装置。
【００１１】
（５）：前記皺防止処理部は、前記非画像領域のうち余白領域に、使用頻度の低いインクで印画する、ことを特徴とする（３）に記載のインクジェット記録装置。
【００１２】
（６）：前記記録材の印画領域のインク付着量が閾値を超えて前記皺が発生すると前記判定部が判定した場合、前記皺の発生の可能性を通知する出力処理部、をさらに備える、ことを特徴とする（１）から（５）の何れか１項に記載のインクジェット記録装置。
【００１３】
（７）：前記記録材の印画領域のインク付着量が閾値を超えて前記皺が発生すると前記判定部が判定した場合、前記皺防止処理部は、画像形成を中断する、ことを特徴とする（１）から（５）の何れか１項に記載のインクジェット記録装置。
【００１４】
（８）：前記記録材の印画領域のインク付着量が閾値を超えて前記皺が発生すると前記判定部が判定した場合、前記皺防止処理部は、当該閾値を下回るように前記インク付着量を低減させる、ことを特徴とする（１）から（８）の何れか１項に記載のインクジェット記録装置。
【００１５】
（９）：前記記録材の印画領域のインク付着量が閾値を超えて前記皺が発生すると前記判定部が判定した場合、インクジェットヘッドのギャップを前記皺の高さ以上に拡げるヘッド位置調整部、をさらに備える、ことを特徴とする（１）から（５）の何れか１項に記載のインクジェット記録装置。
【００１６】
（１０）：前記皺防止処理部は、前記記録材厚さに基づいて前記閾値を変更する、ことを特徴とする（３）から（９）の何れか１項に記載のインクジェット記録装置。
【００１７】
（１１）：両面印刷のときに、前記皺防止処理部による前記非画像領域への印画を行う、ことを特徴とする（１）から（１０）の何れか１項に記載のインクジェット記録装置。
【００１８】
（１２）：前記インクは、紫外線照射で硬化するインクである、ことを特徴とする（１）から（１１）の何れか１項に記載のインクジェット記録装置。
【００１９】
（１３）：前記インクは、白色、透明、または、前記記録材と同色である、ことを特徴とする（１）から（１２）の何れか１項に記載のインクジェット記録装置。
【００２０】
（１４）：記録材にインクを吐出し画像形成するインクジェット記録装置における皺処理方法であって、前記インクジェット記録装置は、前記記録材の非画像領域に皺が発生するか否かを判定するステップと、前記皺が発生すると判定した場合、前記非画像領域に印画するステップと、を実行する、ことを特徴とする皺処理方法。
【発明の効果】
【００２１】
本発明によれば、記録材の非画像領域に皺が発生することを防止することができる。
【図面の簡単な説明】
【００２２】
【図１】本実施形態のインクジェット記録装置の全体構成を示す概略構成図である。
【図２】記録材側から見たヘッドユニットの構成を示す平面図である。
【図３】インクジェット記録装置の制御系の構成を示すブロック図である。
【図４】インクジェット記録装置が備えるハードウェア構成例を示すブロック図である。
【図５】インクジェット記録装置の制御部の機能構成例を示すブロック図である。
【図６】インク付着量の差による皺の発生の説明図である。
【図７】インク付着量の差と皺高さとの関係を示すグラフである。
【図８】皺の発生に対する余白領域面積の影響の説明図である。
【図９】余白幅が１０ｍｍである記録材の模式図である。
【図１０】余白幅が５０ｍｍである記録材の模式図である。
【図１１】余白領域の幅を加味した、インク付着量と皺高さとの関係を示すグラフである。
【図１２】印画方式の選択を含む印画処理のフローチャートである。
【図１３】皺発生に関する警告表示の画面例である。
【図１４】余白印画処理のフローチャートである。
【図１５】２×２の画像が印刷される記録材に余白印画処理を実行した場合の説明図である。
【図１６】チェックパターンの例である。
【図１７】余白印画するパターンの例である。
【図１８】余白印画するパターンの例である。
【図１９】余白印画するパターンの例である。
【図２０】余白印画するパターンの例である。
【発明を実施するための形態】
【００２３】
以下、添付した図面を参照して、本発明の実施形態について説明する。なお、図面の説明において、同一の要素には同一の符号を付し、重複する説明を省略する。また、図面の寸法比率は、説明の都合上誇張され、実際の比率とは異なる場合がある。
【００２４】
図１に、本実施の形態のインクジェット記録装置の構成を示す。図１は、インクジェット記録装置の全体構成を示す概略構成図である。
図１に示すインクジェット記録装置１は、インクジェットヘッドに設けたノズルからインクを吐出することで記録材に画像を形成（記録）するものである。このインクジェット記録装置１は、イエロー（Ｙ）、マゼンダ（Ｍ）、シアン（Ｃ）及びブラック（Ｂｋ）の４色のインクを重ね合わせるカラーインクジェット記録装置である。
【００２５】
インクジェット記録装置１は、給紙部１０と、画像形成部２０と、排紙部３０と、湿度計測部２９と、制御部４０とを有している。そして、インクジェット記録装置１は、端末装置２（図３参照）から入力された画像データを記録材Ｐに形成する。
【００２６】
給紙部１０は、給紙トレー１１と、記録材供給部１２とを有している。給紙トレー１１は、記録材の一例を示す記録材Ｐを載置可能に設けられた板状の部材である。給紙トレー１１は、載置された記録材Ｐの枚数に応じて上下方向に移動可能に設けられている。そして、給紙トレー１１に載置された複数の記録材Ｐのうち上下方向の最上部の記録材Ｐは、記録材供給部１２により搬送される位置で保持される。
【００２７】
記録材供給部１２は、複数（本例では、２つ）のローラ１２１、１２２と、搬送ベルト１２３とを有している。搬送ベルト１２３は、長手方向の両端が接続された無端状に形成されている。搬送ベルト１２３は、ローラ１２１、１２２に張架されている。そして、ローラ１２１、１２２のうち一方のローラが回転駆動することで、搬送ベルト１２３は、２つのローラ１２１、１２２の間を循環移動する。これにより、搬送ベルト１２３に載置された記録材Ｐが搬送される。
【００２８】
また、記録材供給部１２は、ローラ１２１、１２２を回転駆動する不図示の駆動部や、給紙トレー１１に載置された最上部の記録材Ｐを搬送ベルト１２３に受け渡す供給装置を有している。そして、記録材供給部１２は、搬送ベルト１２３に載置された記録材Ｐを画像形成部２０に向けて搬送し、画像形成部２０に給紙する。
【００２９】
画像形成部２０は、画像形成ドラム２１と、受け渡しユニット２２と、加熱部２３と、ヘッドユニット２４と、定着部２５と、画像読取部２６と、記録材排出部２７と、記録材反転部２８とを有している。
【００３０】
画像形成ドラム２１は、円筒状に形成されている。画像形成ドラム２１は、不図示の駆動モータにより反時計回りに回転する。画像形成ドラム２１の外周面には、給紙部１０から供給された記録材Ｐが担持される。そして、画像形成ドラム２１は、回転駆動することで記録材Ｐを排紙部３０に向けて搬送する。また、画像形成ドラム２１の外周面には、加熱部２３、ヘッドユニット２４、定着部２５及び画像読取部２６が対向して配置されている。
【００３１】
受け渡しユニット２２は、給紙部１０の記録材供給部１２と画像形成ドラム２１との間に介在する位置に設けられている。受け渡しユニット２２は、爪部２２１と、円筒状の受け渡しドラム２２２等を有している。爪部２２１は、記録材供給部１２により搬送された記録材Ｐの一端を担持する。受け渡しドラム２２２は、爪部２２１に担持された記録材Ｐを画像形成ドラム２１に向けて誘導する。これにより、記録材Ｐは、受け渡しユニット２２を介して記録材供給部１２から画像形成ドラム２１の外周面に受け渡される。
【００３２】
受け渡しドラム２２２における記録材Ｐの搬送方向の下流側には、加熱部２３が配置されている。加熱部２３は、例えば電熱線等を有し、通電に応じて発熱する。加熱部２３は、制御部４０による制御により、画像形成ドラム２１に担持されて加熱部２３の近傍を通過する記録材Ｐが所定の温度となるように発熱を行う。
【００３３】
また、加熱部２３の近傍には、不図示の温度センサーが設けられている。温度センサーは、加熱部２３付近の温度を検知する。そして、制御部４０は、温度センサーが検知した温度情報に基づいて、加熱部２３の温度を制御する。
【００３４】
加熱部２３における記録材Ｐの搬送方向の下流側には、ヘッドユニット２４が設けられている。ヘッドユニット２４は、イエロー（Ｙ）、マゼンダ（Ｍ）、シアン（Ｃ）、ブラック（Ｂｋ）に応じて４つ設けられている。４つのヘッドユニット２４は、記録材Ｐの搬送方向に対して上流側から、イエロー、マゼンダ、シアン、ブラックの順に配置されている。
【００３５】
ヘッドユニット２４は、記録材Ｐの搬送方向と直交する方向（幅方向）において記録材Ｐの全体を覆う長さ（幅）に設定されている。すなわち、インクジェット記録装置１は、ワンパス方式のラインヘッド型インクジェット記録装置である。４つのヘッドユニット２４は、それぞれ吐出するインクの色が異なるのみで、互いに同一の構成を有している。
【００３６】
図２は、ヘッドユニット２４を記録材側から見た状態を示す平面図である。
図２に示すように、ヘッドユニット２４は、複数（本例では、１６個）のインクジェットヘッド２４２を有している。そして、２つのインクジェットヘッド２４２が１組となって、１つのインクジェットモジュール２４３を構成している。そのため、本例のヘッドユニット２４には、８つのインクジェットモジュール２４３が設けられている。
【００３７】
８つのインクジェットモジュール２４３は、記録材Ｐの搬送方向に沿って２列並べられている。そして、一列のインクジェットモジュール２４３は、記録材Ｐの搬送方向と直交する方向（幅方向）に沿って４つ並べて配置されている。また、８つのインクジェットモジュール２４３は、２列のインクジェットモジュール２４３が記録材Ｐの搬送方向に沿って互い違い千鳥状に配置されている。
【００３８】
なお、インクジェットモジュール２４３の数及び配置は、上述したものに限定されるものではなく、４以上のインクジェットモジュール２４３を配置してもよい。
【００３９】
また、インクジェットヘッド２４２は、複数のノズル２４４を有している。そして、インクジェットヘッド２４２は、ノズル２４４からインクを記録材Ｐに向けて吐出する。これにより、画像形成ドラム２１に担持された記録材Ｐに画像が形成される。
【００４０】
図１に戻って、４つのヘッドユニット２４における搬送方向の下流側には、定着部２５が配置されている。定着部２５としては、例えば、低圧水銀ランプ等の紫外線を照射する蛍光管が適用される。そして、定着部２５は、紫外線を画像形成ドラム２１により搬送された記録材Ｐに向けて照射し、記録材Ｐ状に吐出されたインクを硬化させる。これにより、定着部２５は、記録材Ｐに形成された画像を定着させる。
【００４１】
紫外線を発する蛍光管としては、低圧水銀ランプの他、数百Ｐａ〜１ＭＰａ程度の動作圧力を有する水銀ランプ、殺菌灯として利用可能な光源、冷陰極管、紫外線レーザー光源、メタルハライドランプ、発光ダイオードなどが挙げられる。これらの中で、紫外線をより高照度で照射可能であって消費電力の少ない光源（例えば発光ダイオード等）がより望ましい。
【００４２】
なお、定着部２５としては紫外線を照射するものに限定されるものではなく、インクの性質に応じてインクを硬化させる性質を有するエネルギー線を照射するものであればよく、光源もエネルギー線の波長などに応じて置換される。また、定着部２５としては、紫外線等の光を照射するものに限定されるものではない。定着部２５としては、例えば、記録材に熱を与えることでインクを乾燥させたり、インクに化学的な変化を起こさせる液体を付与させたりするもの等その他各種の方法を適用できるものである。
【００４３】
また、定着部２５における搬送方向の下流側には、画像読取部２６が配置されている。画像読取部２６は、複数の検出素子が記録材Ｐの搬送方向と直交する方向（幅方向）に沿って並べられたインラインセンサで構成されており、ヘッドユニット２４及び定着部２５により記録材Ｐに形成された画像を読み取る。読み取った画像のデータは、制御部４０に送られる。なお、画像読取部２６を構成する検出素子の間隔は、インクジェットヘッド２４２のノズル２４４の間隔よりも広く設定されている。すなわち、画像読取部２６の分解能は、ヘッドユニット２４の解像度よりも粗く設定されている。
【００４４】
また、画像読取部２６の搬送方向の下流側には、記録材排出部２７と、記録材反転部２８が設けられている。記録材排出部２７は、画像形成ドラム２１により搬送された記録材Ｐを排紙部３０に向けて搬送する。
【００４５】
記録材排出部２７は、円筒状の分離ドラム２７１と、排出ベルト２７２とを有している。分離ドラム２７１は、画像形成ドラム２１に担持された記録材Ｐを画像形成ドラム２１の外周面から分離させる。そして、分離ドラム２７１は、記録材Ｐを排出ベルト２７２又は記録材反転部２８に記録材Ｐを誘導する。
【００４６】
分離ドラム２７１は、片面画像形成におけるフェースアップ排紙を行う場合に、記録材Ｐを排出ベルト２７２に誘導する。また、分離ドラム２７１は、片面画像形成におけるフェースダウン排紙及び両面画像形成を行う場合に、記録材Ｐを記録材反転部２８に誘導する。
【００４７】
排出ベルト２７２は、記録材供給部１２の搬送ベルト１２３と同様に、無端状に形成されている。排出ベルト２７２は、複数のローラにより回転可能に支持されている。排出ベルト２７２は、分離ドラム２７１による受け渡された記録材Ｐを排紙部３０に送り出す。
【００４８】
記録材反転部２８は、複数の反転ローラ２８１、２８２と、反転ベルト２８３とを有している。フェースダウン排紙を行う場合、記録材反転部２８は、分離ドラム２７１により誘導された記録材Ｐの表裏を反転し、記録材排出部２７に搬送する。これにより、記録材Ｐは、記録材排出部２７による画像が形成された面が上下方向の下方を向いた状態で排紙部３０に搬送される。
【００４９】
また、両面画像形成を行う場合、記録材反転部２８は、分離ドラム２７１により誘導された記録材Ｐの表裏を反転し、再び画像形成ドラム２１の外周面に搬送する。これにより、記録材Ｐは、画像形成ドラム２１により搬送され、再び加熱部２３、ヘッドユニット２４、定着部２５及び画像読取部２６を通過する。
【００５０】
排紙部３０は、記録材排出部２７により画像形成部２０から送り出された記録材Ｐを格納する。排紙部３０は、平板状の排紙トレー３１を有している。そして、排紙部３０は、排紙トレー３１上に画像が形成された記録材Ｐを載置する。
【００５１】
また、インクジェット記録装置１は、自装置内に湿度計測部２９を備える。湿度計測部２９は、インクジェット記録装置１の内部、即ち記録材の周囲（環境）の湿度を検知する。
【００５２】
［インクジェット記録装置の制御系］
次に、インクジェット記録装置１の制御系の構成について図３を参照して説明する。
図３は、インクジェット記録装置１の制御系の構成を示すブロック図である。
【００５３】
図３に示すように、インクジェット記録装置１は、制御部４０を備えている。制御部４０は、例えばＣＰＵ（Central Processing Unit）４１と、ＣＰＵ４１の作業領域として使用されるＲＡＭ（Random Access Memory）４２と、ＣＰＵ４１が実行するプログラム等を記憶するためのＲＯＭ（Read Only Memory）４３と、を有する。さらに、制御部４０は、大容量記憶装置としてのハードディスクドライブ（ＨＤＤ）等からなる記憶部４４を有している。記憶部４４には、画像読取部２６が読み取った画像のデータ、ノズル２４４の吐出不良を検出するためのテストチャートや、ノズル２４４の吐出不良検出動作を行うための情報が格納される。
【００５４】
また、インクジェット記録装置１は、画像形成ドラム２１、記録材排出部２７や記録材反転部２８等の搬送系の駆動を行う搬送駆動部５１と、操作表示部５２と、入出力インターフェース５３とを有している。
【００５５】
制御部４０のＣＰＵ４１は、加熱部２３、ヘッドユニット２４、定着部２５、画像読取部２６、湿度計測部２９、ＲＡＭ４２、ＲＯＭ４３、記憶部４４にそれぞれシステムバス５４を介して接続され、装置全体を制御する。また、ＣＰＵ４１は、搬送駆動部５１、操作表示部５２、入出力インターフェース５３にそれぞれシステムバス５４を介して接続されている。
【００５６】
操作表示部５２は、液晶表示装置（ＬＣＤ）又は有機ＥＬＤ（Electro Luminescence Display）等のディスプレイからなるタッチパネルである。この操作表示部５２は、ユーザーに対する指示メニュー、ノズル２４４の吐出検出動作に関する情報や取得した画像データに関する情報等を表示する。さらに、操作表示部５２は、複数のキーを備え、ユーザーのキー操作による各種の指示、文字、数字などのデータの入力を受け付ける入力部としての役割を持つ。
【００５７】
入出力インターフェース５３は、ＰＣ（パーソナルコンピュータ）や、ファクシミリ装置等の端末装置２に接続されている。そして、入出力インターフェース５３は、端末装置２から画像データを受信する。入出力インターフェース５３は、受信した画像データを制御部４０に出力する。そして、制御部４０は、入出力インターフェース５３から受信した画像データを画像処理する。また、制御部４０は、受信した画像データに対し、必要に応じて、シェーディング補正、画像濃度調整、画像圧縮等の画像処理を行う。
【００５８】
また、ヘッドユニット２４は、制御部４０によって画像処理された画像データを受け取り、画像データに基づいて記録材Ｐ上に所定の画像を形成する。具体的には、ヘッドユニット２４は、ヘッド駆動部２４１を駆動することで、インクジェットヘッド２４２からインクを所定の位置に吐出させる。
【００５９】
ヘッドユニット２４により記録材Ｐに形成された画像は、画像読取部２６によって読み取られ、その画像データが制御部４０に送られる。また、ノズル２４４の吐出不良動作を行う際、制御部４０は、画像読取部２６から送られた画像データに基づいて吐出不良が生じているノズル２４４を判別する。そして、制御部４０は、例えば、吐出不良が発生したノズル２４４に隣接するノズル２４４からのインクの吐出量を増やすことで、ヘッドユニット２４の補正処理を行う。
【００６０】
［端末装置及びインクジェット記録装置のハードウェア構成］
図４は、インクジェット記録装置が備えるハードウェア構成例を示すブロック図である。インクジェット記録装置の機能、使用目的に合わせて装置内の各部は取捨選択される。ここでは、上述したインクジェット記録装置に接続された端末装置２のハードウェア構成例を説明する。
【００６１】
端末装置２は、制御部６０、表示部６５、操作部６６、不揮発性ストレージ６７、通信インターフェース６８を備える。端末装置２内の各部は、バス６４を介して接続されている。
【００６２】
制御部６０は、ＣＰＵ６１、ＲＯＭ６２、及びＲＡＭ６３によって構成される。制御部６０は、端末装置２内の各部の動作を制御するコンピューターの一例として用いられる。
【００６３】
ＣＰＵ６１は、例えば操作部６６を通じて行われるユーザーの入力操作に応じて、プリンタードライバーを動作して印刷ジョブを生成する。ＣＰＵ６１は、制御部の一例であり、本実施形態に係る各機能を実現するソフトウェアのプログラムコードをＲＯＭ６２（記録材の一例）から読み出して実行する。なお、ＣＰＵ６１に代えて、ＭＰＵ（Micro Processing Unit）等の他の演算装置を演算部として用いてもよい。
ＲＯＭ６２は、不揮発性メモリの一例として用いられ、ＣＰＵ６１が動作するために必要なプログラムやデータ等を記憶している。
ＲＡＭ６３は、揮発性メモリの一例として用いられ、ＣＰＵ６１が行う各処理に必要な情報（データ）を一時的に記憶する。
【００６４】
表示部６５は、例えば、液晶ディスプレイモニタであり、制御部６０で行われる処理の結果等を表示する。操作部６６には、例えば、キーボード、マウス又はタッチパネル等が用いられ、ユーザーが所定の操作を行い、指示を入力することが可能である。
【００６５】
不揮発性ストレージ６７は、記録媒体の一例であり、ＣＰＵ６１が各部を制御するためのプログラム、ＯＳ等のプログラム、及びデータを記憶する。不揮発性ストレージ６７としては、例えば、ＨＤＤ、ＳＳＤ（Solid State Drive）、光ディスク、光磁気ディスク、ＣＤ−ＲＯＭ、ＣＤ−Ｒ、磁気テープ、不揮発性のメモリカード等が用いられる。
【００６６】
通信インターフェース６８は、例えばＮＩＣ（Network Interface Card）やモデム等で構成され、ＬＡＮ（Local Area Network）等のネットワークＮを介して通信相手の装置との接続を確立し、各種データの送受信を実行する。
【００６７】
次に、インクジェット記録装置１のハードウェア構成について説明する。インクジェット記録装置１のハードウェア構成は、図４に示したハードウェア構成と同様である。インクジェット記録装置１のＣＰＵ６１は、端末装置２から印刷ジョブを受信すると、処理対象のページ（現ページ）に対して、後記の各種印画処理を実行する。
【００６８】
［インクジェット記録装置の制御部の機能構成］
次に、インクジェット記録装置の制御部４０の機能構成について説明する。図５は、制御部４０の機能構成例を示すブロック図である。端末装置２の制御部６０も同様の構成である。制御部４０は、画像データ取得部７１と、判定部７２と、出力処理部７３と、皺防止処理部７４と、ヘッド位置調整部７７と、閾値記憶部７８とを備える。
【００６９】
画像データ取得部７１は、受信した印刷ジョブから、画像データと出力設定を取得する。この出力設定から、画像形成に用いられる記録材Ｐの種類、記録材Ｐの印画領域（画像形成領域）と余白領域、および、片面印刷か両面印刷かを指定する印刷モードなどを取得することができる。しかし、出力設定の事項はこれらに限定されない。
【００７０】
なお、印画領域とは、記録材Ｐの全領域のうち、画像データに基づくインクの吐出がなされ得る領域をいう。画像データの内容次第では、インクが吐出されない印画領域部分が存在する可能性がある。
また、余白領域とは、記録材Ｐの全領域のうち、印画領域を除く部分である。本実施形態では、説明の便宜上、余白領域には印画を行わない画像データについて説明する。
【００７１】
判定部７２は、取得した画像データに基づいて、余白領域に皺が発生するか否かを判定する。判定部７２は、画像データから、印画領域の画素ごとのインク付着量を検出することができる。判定部７２によるインク付着量の検出は、画素ごとに行うことができるが、これに限定されず、例えば、所定の単位面積ごとに行うこともできる。画像データで設定される、余白領域のインク付着量は０となる。判定部７２は、印画領域に対して検出したインク付着量が、余白領域に皺が発生する条件となる皺発生条件を満たすか否かを判定する。皺発生条件の詳細は後記する。
【００７２】
出力処理部７３は、判定部７２の判定結果に基づいて、皺が発生する可能性がある旨の警告を操作表示部５２に表示する。また、出力処理部７３は、皺の発生の可能性に対してユーザーが採り得る選択肢を操作表示部５２に表示する。
【００７３】
皺防止処理部７４は、皺の発生を防止するために、余白領域を印画する（余白印画）。皺防止処理部７４は、余白印画領域設定部７５と、余白インク付着量算出部７６とを備える。
【００７４】
余白印画領域設定部７５は、余白印画を実行する場合、余白領域のうちインクを吐出する領域を余白印画領域として設定する。余白印画領域の詳細は後記する。
余白インク付着量算出部７６は、余白印画を実行する場合、余白印画領域に吐出するインクのインク付着量を余白インク付着量として算出する。余白インク付着量の算出の詳細は後記する。
【００７５】
ヘッド位置調整部７７は、判定部７２の判定結果に基づいて、ヘッドユニット２４を駆動してインクジェットヘッド２４２（図１参照）の位置を調整して、インクジェットヘッド２４２と記録材Ｐとが接触しないように、画像形成ドラム２１からインクジェットヘッド２４２までの距離を大きくする。これにより、インクジェットヘッド２４２と画像形成ドラム２１とのギャップを大きくし、皺が発生した場合にも、記録材Ｐとインクジェットヘッド２４２との接触（いわゆるヘッドアタック）を回避し、画像形成不良の発生の抑制やインクジェットヘッド２４２の保護を行う。
【００７６】
閾値記憶部７８は、判定部７２の判定に用いられる皺発生条件を満たす任意の閾値を記憶する。閾値は、例えば、インク付着量の差、対象領域の面積、記録材Ｐの厚さ、環境湿度、記録材Ｐの目方向、対象領域の位置等、といった皺発生条件の各種構成要素に応じて設定することができるが、これらに限定されない。
【００７７】
［皺発生条件の詳細］
判定部７２が用いる皺発生条件の構成要素について説明する。
【００７８】
（インク付着量の差）
図６に示すように、画像形成においては、記録材Ｐにインク８２，８３を付着させた後、紫外線照射等によってインク８２，８３を硬化して画像を固定化する。このとき、記録材Ｐに付着したインク８２，８３が硬化することで、インク８２，８３が収縮する。そして、インク８２，８３の収縮に合わせて、記録材Ｐにも収縮する方向の応力が発生する。
【００７９】
インク付着量が多いほどインクが付着した記録材Ｐの領域に発生する応力が大きくなる。インクが付着した記録材Ｐの領域は、印画領域に相当する。よって、インク付着量の多いインク８２が付着した印画領域については大きな応力が発生し、インク付着量の少ないインク８３が付着した印画領域については小さな応力が発生する。また、記録材Ｐにおいて、インクが付着しない余白領域８１では応力が発生しない。図６では発生する応力を白抜き矢印で表示し、白抜き矢印の大きさが応力の大きさを表している。
【００８０】
インク付着量に差がある記録材Ｐの領域境界では、応力に差があるため皺が発生する。インク８２が付着し大きな応力が発生する印画領域と、インクなしで応力が発生しない余白領域８１との境界では、インク８２に起因する大きな応力に等しい応力差は大きいため、皺が発生する。皺は、印画領域と余白領域８１との境界を起点とし、余白領域８１の自由端、つまり、記録材Ｐの縁部に向かって延在する線状を呈することが多いが、皺の発生位置や形状はさまざまであり、一概に特定できない。図６には、皺が発生する可能性のある領域となる皺発生領域Ｗを示している。皺発生領域Ｗの幅は、余白領域８１の幅と略同等として扱うことができる。
【００８１】
一方、インク８３が付着し小さな応力が発生する印画領域と、インクなしで応力が発生しない余白領域８１との境界では、インク８３に起因する小さな応力に等しい応力差は小さいため、皺は発生しない。なお、インク８２が付着し大きな応力が発生する印画領域と、インク８３が付着し小さな応力が発生する印画領域との境界では、インク８２，８３に起因する応力の応力差が小さくなるため皺は発生しない（図示略）。
【００８２】
このように、隣接する領域の境界において、インク付着量の差が大きいほど、皺が発生しやすくなる。特に、余白領域と、印画領域の外縁に近い領域との境界において、当該領域のインク付着量が大きいほど、皺が発生しやすくなる。よって、閾値記憶部７８が記憶する閾値として、印画領域の外縁に近い領域のインク付着量を基に皺発生条件を満たす閾値を設定することができる。
【００８３】
なお、隣接する領域間のインク付着量の差と、発生する皺高さ（ｍｍ）との関係は、図７のグラフに示すとおりになる。図７のグラフによれば、隣接する領域間のインク付着量の差が大きいほど、両領域の境界での応力差が大きくなるため、皺が高くなるといえる。図７に示す実線８９は、記録材Ｐに許容される皺高さの上限（約０．９ｍｍ）である。実線８９が示す上限は、インクジェットヘッド２４２（図２）の記録材Ｐからの高さ位置であり、皺の発生による記録材Ｐとインクジェットヘッド２４２との接触（ヘッドアタック）を防ぐことができる値となる。
【００８４】
図７のグラフによれば、余白領域に隣接する、印画領域の外縁に近い領域については、所定量を超えるインク付着量が付着する場合にインクジェットヘッド２４２に皺が接触する可能性があると判断することができる。インクジェットヘッド２４２への皺の接触は、主に両面印刷の最初の面（表面）を印刷して皺が発生した場合に裏面の印刷を行うときに起こり得る。
【００８５】
（対象領域の面積）
インクの硬化収縮によって発生する応力は、対象領域の面積の大きさに応じて変化する。インク付着量に関する条件が同じであれば、互いに隣接する、インク付着量の少ない領域とインク付着量の多い領域とについて、インク付着量の少ない領域の面積が大きいほど、インクの硬化収縮によって発生する応力が大きくなる。即ち、インク付着量の多い領域に隣接する、インク付着量の少ない領域の面積が大きいほど、領域境界から皺が発生しやすくなる。前記「インク付着量の少ない領域」がインク無しの余白領域である場合、余白領域の面積が大きいほど、余白領域と印画領域の外縁に近い領域との境界から皺が発生しやすくなる。
【００８６】
図８に示すように、記録材Ｐにおいて、インク８２の硬化収縮による応力（図面では白抜き矢印で表示）は、インク８２が付着した領域に隣接する２つの余白領域８４，８５に対して、ほぼ同じ大きさとなる。このため、インクの硬化収縮によって発生する応力差のみを考慮すると、インク８２が付着した領域と余白領域８４との境界で発生する応力差と、インク８２が付着した領域と余白領域８５との境界で発生する応力差とは同程度となる。
【００８７】
しかし、余白領域８５は、面積が小さいため、インク８２の応力に起因する、インク８２が付着した領域の収縮に追従することができる。その結果、インク８２が付着した領域と余白領域８５との境界で皺が発生しない。一方、余白領域８４は、面積が大きいため、インク８２の応力に起因する、インク８２が付着した領域の収縮に追従しきれない。その結果、インク８２が付着した領域と余白領域８４との境界から皺が発生する。図８には、皺が発生する可能性のある領域となる皺発生領域Ｗを示している。皺発生領域Ｗの幅は、余白領域８４の幅と略同等として扱うことができる。
【００８８】
このように、インク付着量の少ない領域の面積、または、インク無しの余白領域の面積に応じて皺の発生しやすさが変化する。よって、閾値記憶部７８が記憶する閾値として、余白領域の面積（幅）を基に皺発生条件を満たす閾値を設定することができる。
【００８９】
余白幅が１０ｍｍである余白領域８５を有する記録材Ｐ（図９）、および、余白幅が５０ｍｍである余白領域８４を有する記録材Ｐ（図１０）について、インク８２のインク付着量と、発生する皺高さ（ｍｍ）との関係は、図１１のグラフに示すとおりになる。図１１のグラフによれば、インク８２のインク付着量が同じであれば、余白幅が大きいほど、インク８２が付着した領域の収縮に追従しきれなくなるため、皺が高くなるといえる。
【００９０】
なお、インクの無い余白領域８４，８５を、インク付着量がインク８２のインク付着量よりも少ない小インク領域に変更した場合であっても同様であり、つまり、小インク領域の面積が小さいほど、インク８２が付着した領域の収縮に追従しきれなくなるため、皺が高くなるといえる。この場合、図１１のグラフの横軸は、インク８２のインク付着量ではなく、インク８２のインク付着量と小インク領域のインク付着量との差になる。
【００９１】
また、図１１のグラフによれば、余白幅が１０ｍｍであれば、インク８２のインク付着量がどれほど多くても、皺高さが、実線８９が示す上限を下回る。このため、余白幅を充分小さくすれば、インク付着量に依らず、皺の発生による記録材Ｐとインクジェットヘッド２４２との接触（ヘッドアタック）を確実に防ぐことができる。
【００９２】
（記録材の厚さ）
記録材Ｐの厚さが小さいほど、記録材Ｐの剛性が小さくなり、皺が発生する可能性が高くなる。このため、閾値記憶部７８が記憶する閾値として、記録材Ｐの厚さに応じた、皺発生条件を満たす閾値を設定することができる。
【００９３】
（環境）
環境中の湿度が高い程、記録材Ｐに皺が発生しやすい。このため、インクジェット記録装置１に設けた湿度計測部２９によって湿度を測定し、環境中の湿度が高い場合には皺の発生条件を満たす閾値を下げる必要がある。従って、例えば、閾値記憶部７８が記憶する閾値として、環境中の湿度に応じた、皺発生条件を満たす閾値を設定することができる。
また、インクジェット記録装置１が環境温度を計測する温度計測部（図示せず）を備え、環境温度に応じて閾値を変更してもよい。
【００９４】
（記録材の目方向）
記録材Ｐは、目方向と平行な方向の皺が発生しやすい。このため、隣接する対象領域間の境界線の方向が、記録材Ｐの目方向と直交する方向の場合には、記録材Ｐの目方向と平行な方向に皺が発生しやすい。即ち、隣接する対象領域間の境界線の方向が、記録材Ｐの目方向と直交する方向と平行に近づく程、記録材の目方向と平行な方向の皺が発生しやすくなる。従って、例えば、閾値記憶部７８が記憶する閾値として、隣接する対象領域間の境界線の方向と記録材の目方向とに応じた、皺発生条件を満たす閾値を設定することができる。
【００９５】
（対象領域の位置）
記録材Ｐの端に近い程、皺が発生しやすい。例えば、記録材Ｐの縁端部に近い対象領域において皺が発生しやすく、記録材Ｐの中央に近い対象領域において皺が発生しにくい。よって、余白領域は、基本的に皺が発生しやすい領域といえる。従って、例えば、閾値記憶部７８が記憶する閾値として、記録材Ｐの縁端部に近い対象領域において閾値を低くし、記録材の中央に近い対象領域において閾値を高くするとよい。
【００９６】
［処理］
次に、インクジェット記録装置１および端末装置２が実行する処理について説明する。ここでは、インクジェット記録装置１の処理として説明するが、端末装置２についても適用される。図１２に、印画方式の決定を含む印画処理のフローチャートを示す。インクジェット記録装置１のＣＰＵ４１がＲＯＭ４３に記憶されたプログラムを実行することにより、本フローチャートの処理が実現される。
【００９７】
まず、制御部４０の画像データ取得部７１は、印画対象の画像データおよび印刷ジョブを取得する（ステップＳ１）。印刷ジョブの出力設定から、例えば、画像形成に用いられる記録材Ｐの種類および厚さを取得することができる。記録材Ｐの種類は、例えば、ユーザーが入力したものや、インクジェット記録装置１が備える紙種検知センサ（図示せず）が検出したものとすることができるが、これらに限定されない。また、記録材Ｐの厚さは、例えば、ユーザーが入力したものや、インクジェット記録装置１が備える紙厚検知センサ（図示せず）が検出したものとすることができるが、これらに限定されない。また、印刷ジョブの出力設定から、記録材Ｐの印画領域および余白領域を取得することができる。また、印刷ジョブの出力設定から、各種印刷モードを取得することができる。印刷モードは、例えば、片面／両面印刷、ページ集約、ステープル、カラー／白黒を指定することができるが、これらに限定されない。
【００９８】
次に、制御部４０の判定部７２は、画像データ取得部７１が取得した画像データに基づいて、印画領域のインク付着量が閾値を超えるか否かを判定する（ステップＳ２）。画像データを解析すれば、印画領域に付着されるインクの色およびインク付着量を画素ごとに特定することができる。判定部７２の判定の対象となる印画領域は、例えば、印画領域全体でもよいし、余白領域に隣接する、印画領域の外縁に近い領域でもよいが、これらに限定されない。判定部７２の判定に用いられる閾値は、閾値記憶部７８が記憶する閾値である。画像データ取得部７１が取得した画像データや印刷ジョブに基づいて、すでに説明した皺発生条件の各種構成要素に対して閾値は適宜変更することができる。
【００９９】
印画領域のインク付着量が閾値を超えない場合（ステップＳ２でＮｏ）、制御部４０は通常印画処理を実行する（ステップＳ８）。通常印画処理は、後記する余白印画処理（ステップＳ６）やその他の処理（ステップＳ７）以外の印画処理であり、画像データおよび印刷ジョブにそのまま従う印画処理である。制御部４０は、通常印画処理を実行した後、図１２の処理を終了する。
【０１００】
印画領域のインク付着量が閾値を超える場合（ステップＳ２でＹｅｓ）、制御部４０の判定部７２は、画像データ取得部７１が取得した印刷ジョブの出力設定において、両面印刷モードであるか否かを判定する（ステップＳ３）。両面印刷は、片面印刷と比較して、印画領域のインク付着量がおよそ２倍になる印刷である。このため、すでに説明した余白領域での皺発生は、両面印刷を行う場合に特に発生しやすい現象といえる。さらに、最初の面（表面）の印刷で皺が発生すると、その裏面の印刷時にヘッドアタックによりインクジェットヘッド２４２が損傷するおそれがある。
【０１０１】
そこで、両面印刷を行う場合に限り、余白領域に発生する皺の対策処理を適用することができ、図１２の処理では適用する。ただし、余白領域に発生する皺の対策処理は、両面印刷以外の印刷に適用することを妨げない。両面印刷モードでない場合（ステップＳ３でＮｏ）、制御部４０は通常印画処理を実行する（ステップＳ８）。制御部４０は、通常印画処理を実行した後、図１２の処理を終了する。
【０１０２】
両面印刷モードである場合（ステップＳ３でＹｅｓ）、制御部４０の出力処理部７３は、操作表示部５２から警告表示をする（ステップＳ４）。図１３に示すように、警告表示は、例えば、皺発生の可能性を示したり、皺発生の可能性に対してユーザーが採り得る選択肢を提示したりする表示とすることができるが、これらに限定されない。
【０１０３】
制御部４０は、警告表示に対して余白印画の指示があったか否かを判定する（ステップＳ５）。具体的には、制御部４０は、図１３に示す警告表示に対して、ユーザーが「Ｙｅｓ」のボタン５２ａをクリックしたか否かを判定する。余白印画の指示があった場合（ステップＳ５でＹｅｓ）、制御部４０の皺防止処理部７４は、余白印画処理を実行する（ステップＳ６）。余白印画処理の詳細は後記する。皺防止処理部７４は、余白印画処理を実行した後、図１２の処理を終了する。
【０１０４】
一方、余白印画の指示が無かった場合（ステップＳ５でＮｏ）、具体的には、図１３に示す警告表示に対して、ユーザーが「Ｎｏ」のボタン５２ｂをクリックした場合、制御部４０の皺防止処理部７４およびヘッド位置調整部７７は、その他の処理を実行する（ステップＳ７）。その他の処理は、例えば、印画処理の中断、画像データに応じたインク付着量の変更、画像形成ドラム２１からインクジェットヘッド２４２までのギャップの変更であるが、これらに限定されない。
【０１０５】
印画処理の中断は、皺防止処理部７４が実行する処理であり、ユーザーが操作表示部５２から選択可能な処理である。印画処理の中断により、皺の発生を回避することができる。
【０１０６】
画像データに応じたインク付着量の変更は、皺発生を回避できる程度に、つまり、閾値を下回るようにインク付着量を低減させることをいう。インク付着量の低減対象となる領域は、例えば、印画領域全体でもよいし、余白領域に隣接する、印画領域の外縁に近い領域のみでもよいが、これらに限定されない。画像データに応じたインク付着量の変更は、皺防止処理部７４が実行する処理であり、ユーザーが操作表示部５２から選択可能な処理である。
【０１０７】
画像形成ドラム２１からインクジェットヘッド２４２までのギャップの変更は、発生が予測される皺の高さ以上にインクジェットヘッド２４２のギャップを拡げることをいう。画像形成ドラム２１からインクジェットヘッド２４２までの距離の変更は、ヘッド位置調整部７７が実行する処理であり、ユーザーが操作表示部５２から選択可能な処理である。
【０１０８】
制御部４０は、その他の処理を実行した後、図１２の処理を終了する。
図１２の処理によれば、皺の発生予測に適した印画方式をユーザーに選択させることができる。
【０１０９】
次に、余白印画処理（図１２のステップＳ６）の詳細を、図１４を参照して説明する。ここでは、図１５に示す、４（＝２×２）枚の画像が印画される記録材Ｐの場合について説明する。４枚の画像はそれぞれ、４つの印画領域Ｇに印画される。また、説明の便宜上、余白領域のうち余白印画領域Ｙにインクが付着されることを踏まえた説明をする場合がある。
【０１１０】
まず、皺防止処理部７４の余白印画領域設定部７５は、４つの印画領域Ｇの各々の周縁から外側に距離ａの空白領域Ａを設定する（ステップＳ１１）。距離ａは、印画領域Ｇを明確にしたり、印画領域Ｇと余白印画領域Ｙの境界でのコンタミ（目的の色と異なる色のインクが混入すること）を防止したりする目的のために設定される値である。よって、これらの目的に関わらず、ａ＝０としてもよい。
【０１１１】
なお、ａの値は、すでに説明した対象領域の面積に関する皺発生条件を満たさないように十分小さな値として設定することが好ましい。また、２つの印画領域の各々に対応する空白領域Ａが部分的に重複するため、結果的に、ａよりも大きな距離を持つ空白領域が形成される場合がある。しかし、この場合の空白領域は、２つの印画領域の間に存在し、２つの印画領域に発生することになる応力の差が小さいため、皺が発生することは無い。
【０１１２】
次に、皺防止処理部７４の余白印画領域設定部７５は、記録材Ｐの周縁から内側に距離ｂの空白領域Ｂを設定する（ステップＳ１２）。距離ｂは、余白印画処理による記録材Ｐの印刷が、実質的な縁なし印画となることを踏まえ、プラテン（図示せず）や搬送ベルト（例：排出ベルト２７２）にインクが付着してプラテンや搬送ベルトを汚し、搬送不良を誘因することを防止する目的のために設定される値である。また、距離ｂは、記録材Ｐの搬送精度やインクの着弾精度などから適宜設定することが好ましい。よって、上記の事情を考慮して目的を実現できるのであれば、ｂ＝０としてもよい。
【０１１３】
なお、ｂの値は、すでに説明した対象領域の面積に関する皺発生条件を満たさないように十分小さな値として設定することが好ましい。
【０１１４】
次に、皺防止処理部７４の余白印画領域設定部７５は、記録材Ｐの全領域Ｓに対し、余白印画領域Ｙを設定する（ステップＳ１３）。つまり、余白印画領域Ｙは、記録材Ｐの全領域Ｓから、印画領域Ｇと空白領域Ａ,Ｂを除いた領域となる。
【０１１５】
次に、皺防止処理部７４の余白インク付着量算出部７６は、印画領域Ｇの画像のインク付着量の平均値を算出する（ステップＳ１４）。具体的には、余白インク付着量算出部７６は、図１２のステップＳ１で取得した画像データに基づいて、４つの画像の各々について、例えば、画素ごとのインク付着量を求め、印画領域全体に対してインク付着量の平均値を算出することができる。
【０１１６】
次に、皺防止処理部７４の余白インク付着量算出部７６は、算出した平均値に基づいて、余白印画領域Ｙの余白インク付着量を算出する（ステップＳ１５）。例えば、余白インク付着量は、平均値と同じ値にすることができる。また、インク量を低減する目的、記録材Ｐの厚さ、印画する画像などを考慮して、皺発生条件を満たさないように、余白インク付着量を、平均値よりも小さい値にすることができる。
【０１１７】
次に、皺防止処理部７４は、印画領域Ｇ、空白領域Ａ,Ｂ、余白印画領域Ｙの各々に対する設定に基づいて、記録材Ｐの全領域Ｓを対象にした、余白印画を含む画像を新たに作成する（ステップＳ１６）。
【０１１８】
最後に、皺防止処理部７４は、新たに作成した画像について印画を実行する（ステップＳ１７）。
図１４の余白印画処理によれば、余白領域に皺が発生することを防ぐことができる。
【０１１９】
なお、図１４の余白印画処理では、余白印画領域Ｙのどの部分領域であっても同じ余白インク付着量を用いることとして説明した。しかし、例えば、１ライン（図１５の横軸）ごとに印画領域の濃度を平均化し、その結果から余白インク付着量を決定してもよい。この場合、余白印画領域Ｙは、搬送方向に関して余白インク付着量が異なることになる。また、皺の大きさが印画領域と余白領域の境界におけるインク付着量の差（実質的に、印画領域のインク付着量に相当）の影響を受けやすいことを踏まえ、印画領域の外縁に近い領域のインク付着量から余白インク付着量を算出してもよい。また、記録材Ｐの外縁に近いほど余白印画領域Ｙのインク付着量を低減することで、インクの使用量を節約してもよい。
【０１２０】
（余白印画の例）
対象領域の面積に関する皺発生条件（図８参照）を考慮すれば、余白印画領域Ｙの全体にインクを付着させる必要は無い。よって、例えば、所定空白面積を超えないチェックパターンで余白印画を行ってもよい。また、ヘッドユニット２４（図２）の状態を確認するためのチェックチャート（ノズル欠チャートともいう）で余白印画を行ってもよい。チェックチャートは、例えば、図１６に示すように、画像データから印画される画像９１の下方において色別（ＹＭＣＫ）にインクが吐出され、欠位置を特定する画像９２（９２Ｙ，９２Ｍ，９２Ｃ，９２Ｋ）である。チェックチャートの位置は、画像９１の下方に限らず、例えば、上方、左右でもよい。また、いわゆるラダーパターンチャートで余白印刷を行ってもよい。また、使用頻度の低いヘッドユニット２４（図２）からインクを吐出するために行われるパージで余白印画を行ってもよい。
【０１２１】
その他、所定空白面積を超えないように余白印画するパターンの例として、例えば、図１７に示すように四角のパターン９３を画像９１の周囲に複数並べたものとすることができる。また、図１８に示すように楕円のパターン９４を画像９１の周囲に複数並べたものとすることができる。また、図１９に示すように直交する線分のパターン９５を連続させて画像９１の周囲に複数並べたものとすることができる。また、図２０に示すように三角のパターン９６を画像９１の周囲に複数並べたものとすることができる。
【０１２２】
余白印画領域Ｙに吐出するインクは、例えば透明のインクであってもよいし、記録材Ｐの色と同色のインクであってもよい。また、記録材Ｐを製品として出荷する際に、余白領域をカットする場合には、余白印画領域Ｙに吐出するインクは、任意の色であってもよい。また、元々白色であった記録材Ｐが時間変化で黄ばんでいた等の事情を考慮して、余白印画領域Ｙに吐出するインクは、白色であってもよい。
【０１２３】
印画領域内に印画される画像が、例えば、一部分の円孤が切り欠かれた円環のように、円環の中空部に所定面積分の空白領域が存在し、当該空白領域が円環の切り欠き部を介して、自由端を有する余白領域に連続する場合、対象領域の面積に関する皺発生条件（図８参照）によって当該空白領域に皺が発生する可能性がある。この場合、例えば、当該空白領域に透明のインクまたは記録材Ｐと同じ色のインクを付着させることで、皺発生条件を満たさないようにすることができる。余白領域は、自由端を有し、かつ、所定面積以上に亘ってインクの吐出が無い領域である非画像領域の例となる。また、印画領域内で所定面積を有し、余白領域に連続する空白領域も、非画像領域の例となる。ただし、非画像領域は、これらに限定されない。
【０１２４】
本実施形態によれば、記録材の非画像領域に皺が発生することを予測し、非画像領域に印画することで、皺を発生させない画像形成を実行することができる。
したがって、記録材の非画像領域に皺が発生することを防止することができる。
特に、皺発生の判定を、画像データおよび環境の少なくとも何れかに基づいて行うことで、非画像領域における皺発生の予測の精度を向上させることができる。
【０１２５】
また、皺発生が予測されるときは、チェックチャートを印画したり、パージで印画したりすることで、インク付着量の差に関する皺発生条件を満たさないようにすることができる。
また、皺発生が予測されるときは、その可能性を通知したり、画像形成を中断することで、皺発生を未然に防ぐことができる。
また、皺発生が予測されるときは、印画領域のインク付着量を低減させることで、インク付着量の差に関する皺発生条件を満たさないようにすることができる。
また、皺発生が予測されるときは、（特に裏面の印刷時に）インクジェットヘッドのギャップを拡げることで、ヘッドアタックを回避することができる。
【０１２６】
また、皺発生の予測を、記録材の厚さに基づいて行うことで、任意の記録材に本実施形態を適用することができる。
また、両面印刷に本実施形態を適用することで、両面印刷の画像品質劣化を防ぐことができるとともに、本実施形態を適用しない片面印刷などの余白印刷に要するインクの使用量を節約することができる。
また、紫外線照射で硬化するインクを用いた場合に本実施形態を適用することで、当該インクを用いた画像の画像品質劣化を防ぐことができる。
また、白色、透明、または、記録材と同色のインクを用いた場合に本実施形態を適用することで、当該インクを用いた画像の画像品質劣化を防ぐことができる。
【０１２７】
≪変形例≫
（ａ）：余白領域のうち、印画領域の外縁に隣接する部分余白領域において、印画領域の外縁から遠ざかるほど余白インク付着量を低減させるようにインクを付着させるような余白印刷を行ってもよい。部分余白領域の幅は、余白幅よりも十分に小さい。余白インク付着量は、インク付着量の差に関する皺発生条件（図６参照）を回避できるように、皺を誘因するインク付着量差を構成しないインク付着量となる。よって、余白印画の対象となる面積を相当小さくすることができ、インクを節約に資する。
（ｂ）：本実施形態では、余白領域には印画を行わない画像データについて説明したが、余白領域に印画を行う画像データについて本発明を適用することを妨げない。例えば、余白領域としてのヘッダーまたはフッダーにページ番号やロゴ等を印画する画像データについて本発明を適用することができる。
（ｃ）：本実施形態で説明した種々の技術を適宜組み合わせた技術を実現することもできる。
（ｄ）：本実施形態で説明したソフトウェアをハードウェアとして実現することもでき、ハードウェアをソフトウェアとして実現することもできる。
（ｅ）：その他、ハードウェア、ソフトウェア、フローチャートなどについて、本発明の趣旨を逸脱しない範囲で適宜変更が可能である。
【符号の説明】
【０１２８】
１      インクジェット記録装置
２      端末装置
１０    給紙部
２０    画像形成部
２４    ヘッドユニット
２９    湿度計測部
３０    排紙部
４０，６０  制御部
５２    操作表示部
７１    画像データ取得部
７２    判定部
７３    出力処理部
７４    皺防止処理部
７５    余白印画領域設定部
７６    余白インク付着量算出部
７７    ヘッド位置調整部
７８    閾値記憶部
Ｐ      記録材
【図１】
2020183072.tif 000003
【図２】
2020183072.tif 000004
【図３】
2020183072.tif 000005
【図４】
2020183072.tif 000006
【図５】
2020183072.tif 000007
【図６】
2020183072.tif 000008
【図７】
2020183072.tif 000009
【図８】
2020183072.tif 000010
【図９】
2020183072.tif 000011
【図１０】
2020183072.tif 000012
【図１１】
2020183072.tif 000013
【図１２】
2020183072.tif 000014
【図１３】
2020183072.tif 000015
【図１４】
2020183072.tif 000016
【図１５】
2020183072.tif 000017
【図１６】
2020183072.tif 000018
【図１７】
2020183072.tif 000019
【図１８】
2020183072.tif 000020
【図１９】
2020183072.tif 000021
【図２０】
2020183072.tif 000022